(57)【要約】【課題】給電ケーブルとバッテリー端子の接続または取り外しの際の感電、地絡、短絡等を確実に防止し、また、バッテリーの交換等の際における給電ケーブルとバッテリー端子の接続・取り外しのための工具を不要とすることができるバッテリー端子配線器具を得る。【解決手段】バッテリー１上面のバッテリー端子２，２ａの一側に設けられ、バッテリー端子を挟み込むように移動可能な絶縁体から成る第１の可動部材７，９と、バッテリー端子の他側に第１の可動部材と対向して設けられ、バッテリー端子を挟み込むように移動可能な絶縁体から成る第２の可動部材８，１０と、第１および第２の可動部材を移動させてこの両方の可動部材をバッテリー端子に着脱可能に固定する固定部材１２，１３とを備え、第１および第２の可動部材のバッテリー端子と接する側に給電ケーブル３を接続するための導電部材９，１０を設ける。【選択図】        図１
2004259623.tif 000002
【特許請求の範囲】
【請求項１】
バッテリー上面のバッテリー端子の一側に設けられ、該バッテリー端子を挟み込むように移動可能な絶縁体から成る第１の可動部材と、
上記バッテリー端子の他側に上記第１の可動部材と対向して設けられ、上記バッテリー端子を挟み込むように移動可能な絶縁体から成る第２の可動部材と、
上記第１および第２の可動部材を移動させて該両方の可動部材を上記バッテリー端子に着脱可能に固定する固定部材と
を備え、上記第１および第２の可動部材の少なくとも一方の上記バッテリー端子と接する側に給電ケーブルを接続するための導電部材を設けたことを特徴とするバッテリー端子配線器具。
【請求項２】
上記第１の可動部材は、絶縁体から成る凹部形状の第１の可動片と、該第１の可動片の凹部に上記バッテリー端子と対向して取り付けられ、該バッテリー端子を挟み込む形状をなす第１の可動片端子とを有し、上記第２の可動部材は、上記第１の可動片の凹部に挿入される絶縁体から成る第２の可動片と、該第２の可動片の先端部に上記バッテリー端子と対向して取り付けられ、該バッテリー端子を挟み込む形状をなす第２の可動片端子とを有し、上記固定部材は、上記第１の可動片の凹部両側にそれぞれ設けられたネジ穴に取り付けられる蝶ネジと、上記第２の可動片の後端部に取り付けられ、上記蝶ネジを上記ネジ穴に向かって通すための穴が設けられた案内板とを有し、上記給電ケーブルを接続するための導電部材として、上記第１および第２の可動片端子の少なくとも一方を用いることを特徴とする請求項１記載のバッテリー端子配線器具。
【発明の詳細な説明】
【０００１】
【発明の属する技術分野】
この発明は、バッテリー端子と給電ケーブルを接続するためのバッテリー端子配線器具に関し、特に、バッテリー端子の部分に直接触れることなく給電ケーブルの接続・取り外しが可能な絶縁型のバッテリー端子配線器具に関する。
【０００２】
【従来の技術】
図４は、従来のバッテリー配線端子をバッテリー端子に接続した状態を示す斜視図である。
図４において、１はバッテリー、２，２ａはバッテリー端子、３は給電ケーブルであって、その先端にバッテリー配線端子４が付いている。バッテリー配線端子４はボルト５とナット６でバッテリー端子２，２ａに固定される。なお、ここでは、バッテリー配線端子４がボルト５とナット６でバッテリー端子２のみに固定された状態を示している。
【０００３】
次に、動作について説明する。
上記のように構成されたバッテリー端子２，２ａとバッテリー配線端子４の接続または取り外しは、ボルト５とナット６をスパナ等の工具を使用し、端子部に手を触れて締め付けまたは緩めることで行なっている。
【０００４】
【発明が解決しようとする課題】
ところで、上述の如き従来法では、バッテリーの交換等でバッテリー端子と給電ケーブルに付いたバッテリー配線端子の接続または取り外しを行なうためには、ボルト、ナットの締め付けまたは緩めるためにスパナ等の工具が必要であり、また、バッテリー端子が活線部であり、そこに直接手等を触れて作業するため、感電、地絡、短絡等を起こしやすいという問題点があった。
【０００５】
この発明は、このような従来の問題点を解決するためになされたものであり、バッテリー端子と給電ケーブルの接続または取り外しの際の感電、地絡、短絡等を確実に防止し、また、バッテリーの交換等の際におけるバッテリー端子と給電ケーブルの接続または取り外しのための工具を不要とすることができるバッテリー配線器具を提供することを目的とするものである。
【０００６】
【課題を解決するための手段】
請求項１の発明に係るバッテリー端子配線器具は、バッテリー上面のバッテリー端子の一側に設けられ、該バッテリー端子を挟み込むように移動可能な絶縁体から成る第１の可動部材と、上記バッテリー端子の他側に上記第１の可動部材と対向して設けられ、上記バッテリー端子を挟み込むように移動可能な絶縁体から成る第２の可動部材と、上記第１および第２の可動部材を移動させて該両方の可動部材を上記バッテリー端子に着脱可能に固定する固定部材とを備え、上記第１および第２の可動部材の少なくとも一方の上記バッテリー端子と接する側に給電ケーブルを接続するための導電部材を設けたものである。
【０００７】
請求項２の発明に係るバッテリー端子配線器具は、請求項１の発明において、上記第１の可動部材が、絶縁体から成る凹部形状の第１の可動片と、該第１の可動片の凹部に上記バッテリー端子と対向して取り付けられ、該バッテリー端子を挟み込む形状をなす第１の可動片端子とを有し、上記第２の可動部材が、上記第１の可動片の凹部に挿入される絶縁体から成る第２の可動片と、該第２の可動片の先端部に上記バッテリー端子と対向して取り付けられ、該バッテリー端子を挟み込む形状をなす第２の可動片端子とを有し、上記固定部材が、上記第１の可動片の凹部両側にそれぞれ設けられたネジ穴に取り付けられる蝶ネジと、上記第２の可動片の後端部に取り付けられ、上記蝶ネジを上記ネジ穴に向かって通すための穴が設けられた案内板とを有し、上記給電ケーブルを接続するための導電部材として、上記第１および第２の可動片端子の少なくとも一方を用いるものである。
【０００８】
【発明の実施の形態】
以下に、図面を参照して、この発明の一実施の形態について説明する。
実施の形態１．
図１は、この発明の実施の形態１によるバッテリー端子配線器具の全体構成を示す斜視図、図２は図１のバッテリー端子配線器具の要部を拡大して示す正面図、図３はその側面図である。なお、各図において、図４と対応する部分には同一符号を付し、その詳細説明を省略する。また、各図においては、給電ケーブルは２本のバッテリー端子の内の一方に接続された状態のみを示し、他方のバッテリー端子に接続された状態は省略されている。
【０００９】
図１〜図３において、７は凹部形状をなす第１の可動片としての外可動片であり、絶縁体で作られている。８はバッテリー端子２，２ａを挟み込むようにバッテリー１上面に外可動片７と対向して設けられた第２の可動片としての内可動片であって、外可動片７と同じ材質で作られている。内可動片８は、後述するように、給電ケーブル３をバッテリー端子２，２ａに接続する際に、外可動片７の凹部に挿入される。９は外可動片７の凹部に取り付けられ、バッテリー端子２，２ａを挟み込む形状をなす導電部材からなる第１の可動片端子としての外可動片端子であり、１０は内可動片８の先端部にバッテリー端子２，２ａと対向して取り付けられ、バッテリー端子２，２ａを挟み込む形状をなす導電部材からなる第２の可動片端子としての内可動片端子である。導電部材である外可動片端子９と内可動片端子１０は、導電率の良い金属で作られており、各可動片端子９，１０には給電ケーブル３が接続されている。
【００１０】
また、ｌｌは凹部形状の外可動片７に２箇所設けられた、つまり、外可動片７の凹部両側にそれぞれ設けられたネジ穴であって、蝶ネジ１２を取り付ける部分である。１３は内可動片８の後端部に取り付けられた案内板であり、蝶ネジ１２を通すための穴１４が２箇所あり、材質はベーク板のような硬い絶縁体で作られている。なお、蝶ネジ１２と案内板１３は、外可動片７に取り付けられた外可動片端子９と内可動片８に取り付けられた内可動片端子１０とをバッテリー端子２，２ａに着脱可能に固定する固定部材を構成する。
【００１１】
次に、動作について説明する。
給電ケーブル３をバッテリー端子２，２ａに接続する際は、案内板１３の穴１４に通した蝶ネジ１２を外可動片７のネジ穴ｌｌに取り付ける。これにより、内可動片８の後端部に取り付けられた案内板１３は蝶ネジ１２にガイドされる。次に、案内板１３を手で押し込み、内可動片８の先端部に取り付けられている内可動片端子１０をバッテリー端子２，２ａ側に移動させてこれに接触させ、実質的にこの内可動片端子１０を介してバッテリー端子２，２ａを給電ケーブル３に接続する。その後蝶ネジ１２を左右均等に締め込んでいくことで、外可動片７がバッテリー端子２，２ａ側に移動し、この外可動片７の凹部に取り付けられている外可動片端子９がバッテリー端子２，２ａに接触し、実質的にこの外可動片端子９を介してバッテリー端子２，２ａを給電ケーブル３に接続する。さらに、蝶ネジ１２を絞め込むことで十分な締め付け力を得ることができる。また、給電ケーブル３をバッテリー端子２，２ａから取り外す際は、蝶ネジ１２を緩めることで、バッテリー端子２，２ａを締め付けていた外可動片端子９と内可動片端子１０の締め付け力が無くなり、給電ケーブル３の取り外しが可能となる。
【００１２】
このようにして、本実施の形態では、給電ケーブルとバッテリー端子の接続・取り外しの際に従来のようにスパナ等の工具を使用する必要がなく、バッテリー端子に直接手を触れることなく作業することが可能となり、バッテリー端子の部分が実質的に絶縁体で覆われる構造であることから作業者の感電を防止でき、作業者が誤って工具でバッテリー端子を地絡・短絡させることが無くなる。また、蝶ネジを締め付ける、緩めることで給電ケーブルとバッテリー端子の接続・取り外しができることから、バッテリー交換作業の時間短縮が図れる。
【００１３】
実施の形態２．
なお、上記実施の形態１では、給電ケーブル３をバッテリー端子２，２ａの近傍で分岐して導電部材である外可動片端子９と内可動片端子１０の両方に接続する場合について説明したが、給電ケーブル３を分岐することなく十分な給電が可能であれば、外可動片端子９と内可動片端子１０のいずれか一方に給電ケーブル３を接続すればよく、その場合には給電ケーブル３が接続されない方の可動片端子の材質は導電部材でなくてもよいことは云うまでもない。
【００１４】
かくして、本実施の形態でも上記実施の形態１と同様の効果が得られると共に、更に、本実施の形態では、給電ケーブルを分岐する必要がなく、これに伴って２つの可動片端子を両方とも導電部材とする必要もないので、それだけ構造の簡略化、コストの低廉化が図れる。
【００１５】
【発明の効果】
以上のように、請求項１の発明によれば、バッテリー上面のバッテリー端子の一側に設けられ、該バッテリー端子を挟み込むように移動可能な絶縁体から成る第１の可動部材と、上記バッテリー端子の他側に上記第１の可動部材と対向して設けられ、上記バッテリー端子を挟み込むように移動可能な絶縁体から成る第２の可動部材と、上記第１および第２の可動部材を移動させて該両方の可動部材を上記バッテリー端子に着脱可能に固定する固定部材とを備え、上記第１および第２の可動部材の少なくとも一方の上記バッテリー端子と接する側に給電ケーブルを接続するための導電部材を設けたので、作業者の感電を防止でき、また、給電ケーブルとバッテリー端子の接続・取り外しの際の工具が不要となり、交換作業の時間が短縮され、コストの低廉化、作業効率の向上が図れるという効果がある。
【００１６】
また、請求項２の発明によれば、上記第１の可動部材が、絶縁体から成る凹部形状の第１の可動片と、該第１の可動片の凹部に上記バッテリー端子と対向して取り付けられ、該バッテリー端子を挟み込む形状をなす第１の可動片端子とを有し、上記第２の可動部材が、上記第１の可動片の凹部に挿入される絶縁体から成る第２の可動片と、該第２の可動片の先端部に上記バッテリー端子と対向して取り付けられ、該バッテリー端子を挟み込む形状をなす第２の可動片端子とを有し、上記固定部材が、上記第１の可動片の凹部両側にそれぞれ設けられたネジ穴に取り付けられる蝶ネジと、上記第２の可動片の後端部に取り付けられ、上記蝶ネジを上記ネジ穴に向かって通すための穴が設けられた案内板とを有し、上記給電ケーブルを接続するための導電部材として、上記第１および第２の可動片端子の少なくとも一方を用いるので、作業者の感電をより効果的に防止でき、また、コストの低廉化、作業効率の向上に寄与できるという効果がある。
【図面の簡単な説明】
【図１】この発明の実施の形態１によるバッテリー端子配線器具を示す斜視図である。
【図２】この発明の実施の形態１によるバッテリー端子配線器具の要部を拡大して示す正面図である。
【図３】この発明の実施の形態１によるバッテリー端子配線器具の要部を拡大して示す側面図である。
【図４】従来のバッテリー配線端子をバッテリー端子に取り付けた状態を示す斜視図である。
【符号の説明】
１  バッテリー、  ２，２ａ  バッテリー端子、  ３給電ケーブル、  ７  外可動片、  ８  内可動片、  ９  外可動片端子、  １０  内可動片端子、  １１ネジ穴、  １２  蝶ネジ、  １３  案内板、  １４  穴。
【図１】
2004259623.tif 000003
【図２】
2004259623.tif 000004
【図３】
2004259623.tif 000005
【図４】
2004259623.tif 000006